(57)【特許請求の範囲】
【請求項１】
２以上の第一種光源と、
前記第一種光源側に向かうにつれて漸次縮径するテーパー形状であり、前記の各第一種光源から照射される光の照射範囲を定める第一セード部と、
前記第一種光源と同方向に光を照射する、２以上の第二種光源と、
前記第二種光源側に向かうにつれて漸次縮径するテーパー形状であり、前記の各第二種光源から照射される光の照射範囲を定める第二セード部と、
を備え、
前記第一種光源の列と前記第二種光源の列とが略並行であり、
前記第一セード部は、前記第二セード部側と対向する面に、切欠部を有し、
前記切欠部は、前記第一セード部における前記切欠部の形成されていない部分の指向角に比して、前記第一種光源からの光の指向角が広角となるよう形成されており、
前記第二セード部が定める前記第二種光源から照射される光の指向角が３０°以上、６０°以下であり、
前記切欠部が形成されていない箇所における、前記第一セード部が定める前記第一種光源からの光の指向角が３０°以上、６０°以下であることを特徴とする、照明装置。
【請求項２】
前記照明装置が備える各第一種光源及び第二種光源の配置に対応するよう、前記第一セード部及び前記第二セード部とが一体形成された照明装置用プレートを備える、請求項１に記載の照明装置。
【請求項３】
前記第一種光源と前記第二種光源が発光ダイオードであり、
前記照明装置用プレートが前記第一種光源の列と前記第二種光源の列とが略並行に設けられた基板に配置されていることを特徴とする、請求項２に記載の照明装置。
【請求項４】
さらに、曲面を有する透光性カバー部を備え、
前記曲面は、前記切欠部側に形成されていることを特徴とする、請求項１〜３の何れか一項に記載の照明装置。
装置。
【請求項５】
前記切欠部は、前記第一種光源からの光の指向角を９０°以上、１２５°以下にするよう形成されていることを特徴とする、請求項１〜４の何れか１項に記載の照明装置。
【請求項６】
さらに、孔部を有する取付部材を備えることを特徴とする、請求項１〜５の何れか１項に記載の照明装置。
【請求項７】
２以上の第一セード部と、
２以上の第二セード部と、
を備え、
前記第一セード部の列と前記第二セード部の列とが略並行であり、
第一セード部及び第二セード部は、光源から照射される光の照射範囲を定めるよう、光源を配置する側に向かうにつれて漸次縮径するテーパー形状であり、
前記第一セード部は、前記第二セード部側と対向する面に、切欠部を有し、
前記切欠部が、前記第一セード部における前記切欠部の形成されていない部分に比して、光源からの光の指向角を広角にし、
前記第二セード部が定める光の指向角が３０°以上、６０°以下であり、
前記切欠部が形成されていない箇所における、前記第一セード部が定める光の指向角が３０°以上、６０°以下であり、
前記切欠部は、光源からの光の指向角を９０°以上１２５°以下にするよう形成されていることを特徴とする、照明装置用プレート。
【発明の詳細な説明】
【技術分野】
【０００１】
本発明は照明装置に関する。
【背景技術】
【０００２】
従来、トラックの荷台等に用いられる照明装置として、白熱灯やハロゲン灯が使用されている。
【０００３】
ところで、所望の照射範囲の光を得るために、セード等の遮蔽部材を用いて光の照射範囲を定めた照明装置が知られている（特許文献１〜３）。
【０００４】
具体的に例えば、特許文献２、３には、反射板を備える照明装置が記載されている。
【先行技術文献】
【特許文献】
【０００５】
【特許文献１】特開２００６−２６９３９８号公報
【特許文献２】特開２０１０−２８２９２８号公報
【特許文献３】特開２０１２−２８１２４号公報
【発明の概要】
【発明が解決しようとする課題】
【０００６】
上記先行技術のあるところ、トラックの荷台等といった箱型空間内で好適に使用するために、所望の方向のみの光を広角にすることのできる照明装置が求められていた。
すなわち、本発明は、所望の方向のみの光を広角にすることができる照明装置を提供することを課題とする。
【課題を解決するための手段】
【０００７】
上記事情に鑑みなされた本発明は、第一種光源と、
前記第一種光源から照射される光の照射範囲を定める第一セード部と、
前記第一種光源と同方向に光を照射する第二種光源と、
前記第二種光源から照射される光の照射範囲を定める第二セード部と、
を備え、
前記第一セード部は切欠部を有し、
前記切欠部は、前記第一セード部における前記切欠部の形成されていない部分の指向角に比して、前記第一種光源からの光の指向角が広角となるよう形成されていることを特徴とする、照明装置である。
【０００８】
本発明の照明装置によれば、第一セード部に切欠部が設けられていることで、所望の方向のみの光を広角にすることができる。
そのため、本発明の照明装置を用いることで、箱型空間内（トラックの荷台内部等）を効率よく明るくすることができる。
【０００９】
また、本発明の好ましい実施の形態では、前記切欠部が、前記第二セード部側と対向する面に設けられていることを特徴とする。
切欠部が、第二セード部側と対向する面に設けられていることで、第一種光源からの光と第二種光源からの光が過干渉しない。
そのため、本発明の照明装置を用いることで、箱型空間を効率よく明るくすることができる。
【００１０】
また、本発明の好ましい実施の形態では、前記照明装置は、さらに、曲面を有する透光性カバー部を備え、前記曲面は前記切欠部側に形成されている。
切欠部側に曲面を有する透光性カバー部を備える形態とすることで、第一種光源及び第二種光源から照射される光を遮蔽することなく、照明装置全体をより小さく設計することができる（図１〜図５  参照）。
【００１１】
また、本発明の好ましい形態では、前記切欠部は、前記第一種光源からの光の指向角を９０°以上にするよう形成されている。
ここで、指向角とは、最も強く光る中心部（中心軸）から、最も強く光る中心部（中心軸）の明るさの１／２の明るさになる角度を２倍した値をいう。
上記形態の照明装置を用いることで、箱型空間を効率よく明るくすることができる。
【００１２】
また、本発明の好ましい形態では、前記照明装置は、２以上の前記第一種光源と、２以上の前記第二種光源と、を備え、前記第一種光源の列と前記第二種光源の列とが略並行であることを特徴とする。
このような形態の照明装置を用いることで、箱型空間を効率よく明るくすることができる。
【００１３】
また、本発明の好ましい形態では、前記照明装置は、孔部を有する取付部材を備えることを特徴とする。
孔部を有する取付部材を備えることで、トラックの荷台等といった箱型空間の上面辺部に照明装置をより簡便に配置することができる。
【００１４】
また、本発明は、第一セード部と、
第二セード部と、
を備え、
前記第一セード部は切欠部を有し、
前記切欠部が、前記第一セード部における前記切欠部の形成されていない部分の指向角に比して、光源からの光の指向角を広角にすることを特徴とする、照明装置用プレートでもある。
【００１５】
本発明の照明装置用プレートによれば、第一セード部に切欠部が設けられていることで、所望の方向のみの光を広角にすることができる照明装置用プレートを提供することができる。
【発明の効果】
【００１６】
本発明の照明装置によれば、第一セード部に切欠部が設けられていることで、所望の方向のみの光を広角にすることができる。
【図面の簡単な説明】
【００１７】
【図１】（ａ）本実施例の照明装置の斜視図である。（ｂ）本実施例の照明装置を別角度から表した図である。
【図２】（ａ）本実施例の照明装置の参考断面図である。（ｂ）本実施例の照明装置の斜視図である。
【図３】本実施例の照明装置の分解図である。
【図４】（ａ）本実施例の照明装置用プレートの斜視図である。（ｂ）本実施例の照明装置用プレートを別角度から表した図である。
【図５】本実施例の照明装置から照射される光を示す参考模式図である。
【図６】本実施例の照明装置の使用例を示す図である。
【図７】本実施例の照明装置の他の使用例を示す図である。
【発明を実施するための形態】
【００１８】
以下、本実施例の照明装置１について説明するが、本発明の技術的範囲は実施例に限定されないことは言うまでもない。
【００１９】
本実施例の照明装置１は、第一種光源２１と、第一種光源２１から照射される光の照射範囲を定める第一セード部３１と、第一種光源２１と同方向に光（第一種光線Ａ）を照射する第二種光源２２と、第二種光源２２から照射される光（第二種光線Ｂ）の照射範囲を定める第二セード部３２と、を備える（図１〜図５  参照）。
ここで、第一セード部３１は切欠部３１１を有し、切欠部３１１は、第一セード部３１における切欠部３１１の形成されていない部分の指向角（図５中  βの角度×２）に比して、第一種光源２１からの光（第一種光線Ａ）の指向角（図５中  αの角度×２）が広角となるよう形成されている（図１〜図５  参照）。
このような形態の照明装置１によれば、第一セード部３１に切欠部が設けられていることで、所望の方向のみの光を広角にすることができる。
【００２０】
以下、本実施例の照明装置１の第一種光源２１と、第一種光源２１から照射される光（第一種光線Ａ）の照射範囲を定める第一セード部３１について図１〜図５を用いてさらに詳細に説明する。
【００２１】
本実施例において、第一種光源２１は、発光ダイオード（ＬＥＤ）である（図１〜図５  参照）。
第一種光源２１が発光ダイオード（ＬＥＤ）であることで、照明装置１全体の発熱をより抑えることができる。ただし、第一種光源２１の種類に特に制限はなく、例えば、ハロゲンランプ、ＨＩＤランプ、白熱電球、シリカランプ、ミニクリプトンランプであってもよい。
【００２２】
また、第一種光源２１から照射される光（第一種光線Ａ）は、フラッドタイプ光、スポットタイプ光の何れであってもよい。
【００２３】
第一種光源２１に関し、第一種光源２１の大きさ、形状に特に制限はない。また、第一種光源２１が発する光の色相、色温度にも、特に制限はない。
【００２４】
また、第一種光源２１は、必ずしも単一の光源からなる必要はなく、２以上の光源の集合体からなる光源であってもよい。２以上の光源の集合体からなる光源としては、例えば、Ｒ（赤）Ｇ（緑）Ｂ（青）の発光ダイオードの集合体からなる光源を挙げることができる。
【００２５】
また、本実施例の照明装置１は、第一種光源２１を３つ備える（図１〜図５）。ただし、第一種光源２１の個数に制限はなく、例えば、第一種光源２１を好ましくは２以上、より好ましくは３以上備える形態であってもよい。
第一種光源２１を下限以上備えることで、効率よく箱型空間を明るくすることができる。
【００２６】
次に、図１〜図５を参照し、第一セード部３１について説明する。
【００２７】
図１〜図５に示されているとおり、第一セード部３１は、第一種光源２１から照射される光の照射範囲を定める。
【００２８】
また、第一セード部３１は、第二セード部３２側と対向する面に切欠部３１１を有する。
切欠部３１１が第二セード部３２側と対向する面に設けられていることで、光の照射範囲をより的確に定めることができる。
【００２９】
本実施例において、第一セード部３１は、光源側に向かうにつれて漸次縮径するテーパー形状である（図１〜図５  参照）。第一セード部３１がテーパー形状であることで、第一種光源２１から照射される光の照射範囲をより的確に定めることができる。
【００３０】
また、本実施例において、第一セード部３１の傾斜は、切欠部３１１が形成されていない箇所に比して、切欠部３１１が設けられている箇所の方が緩やかである。このような形態することで、より簡便に、第一セード部３１における切欠部３１１の形成されていない部分に比して、第一種光源２１からの光の指向角を広角とすることができる（図１〜図５  参照）。
【００３１】
そして、本実施例において、切欠部３１１が定める第一種光源２１からの光の指向角（図５中  αの角度×２）は、１２０°である。
ここで、指向角とは、最も強く光る中心軸（図５  第一種光軸Ａ’）の明るさの１／２の明るさになる角度（図５中  α若しくはβの角度）を２倍した値をいう。
【００３２】
ただし、切欠部３１１が定める第一種光源２１からの光の指向角（図５中  αの角度×２）は、好ましくは９０°以上、より好ましくは１００°以上、さらに好ましくは１１０°以上、特に好ましくは１１５°以上であってもよい。
切欠部３１１が定める第一種光源２１からの光の指向角（図５中  αの角度×２）が下限以上であることで、箱型空間を効率よく明るくすることができる。
【００３３】
また、切欠部３１１が定める第一種光源２１からの光の指向角（図５中  αの角度×２）は、好ましくは１５０°以下、より好ましくは１４０°以下、さらに好ましくは１３０°以下、特に好ましくは１２５°以下であってもよい。
切欠部３１１が定める第一種光源２１からの光の指向角（図５中  αの角度×２）が上限以下であることで、トラックの荷台等といった箱型空間内に照明装置１を設置したときに、箱型空間を効率よく明るくすることができる。
【００３４】
また、本実施例において、欠部３１１が形成されていない箇所における、第一セード部３１が定める第一種光源２１からの光の指向角（図５中  βの角度×２）は、４５°である。
ここで、切欠部３１１が形成されていない箇所における、第一セード部３１が定める第一種光源２１からの光の指向角（図５中  βの角度×２）は、好ましくは３０°以上、より好ましくは３５°以上、さらに好ましくは４０°以上であってもよい。
切欠部３１１が形成されていない箇所における、第一セード部３１が定める第一種光源２１からの光の指向角（図５中  βの角度×２）が下限以上であることで、箱型空間を効率よく明るくすることができる。
【００３５】
さらに、切欠部３１１が形成されていない箇所における、第一セード部３１が定める第一種光源２１からの光の指向角（図５中  βの角度×２）は、好ましくは７５°以下、より好ましくは６０°以下、さらに好ましくは５０°以下である。
切欠部３１１が形成されていない箇所における、第一セード部３１が定める第一種光源２１からの光の指向角が上限以下であることで、トラックの荷台等といった箱型空間内に照明装置１を設置したときに、第一種光源２１からの光が箱型空間の壁面を必要以上に照らすことがないため、壁面での反射光を少なくすることができる。
【００３６】
なお、切欠部３１１は、第一セード部３１における切欠部３１１の形成されていない部分（図５中  βの角度×２）に比して、第一種光源２１からの光の指向角（図５中  αの角度×２）が広角となるよう形成されていれば、その形状、大きさ等に制限はない。
【００３７】
また、第一セード部３１の形状、材質、大きさ等に特に制限はない。
【００３８】
以下、本実施例の照明装置１の第二種光源２２と、第二種光源２２から照射される光の照射範囲を定める第二セード部３２について図１〜図５を用いてさらに詳細に説明する。
【００３９】
本実施例において、第二種光源２２は、発光ダイオード（ＬＥＤ）である（図１〜図５  参照）。第二種光源２２が発光ダイオード（ＬＥＤ）であることで、照明装置１全体の発熱をより抑えることができる。
【００４０】
ただし、第二種光源２２の種類に特に制限はなく、例えば、ハロゲンランプ、ＨＩＤランプ、白熱電球、シリカランプ、ミニクリプトンランプであってもよい。
【００４１】
また、第二種光源２２から照射される光（第二種光線Ｂ）は、フラッドタイプ光、スポットタイプ光の何れであってもよい。
【００４２】
第二種光源２２に関し、第二種光源２２の大きさ、形状に特に制限はない。また、第二種光源２２が発する光の色相、色温度にも、特に制限はない。
【００４３】
また、第二種光源２２は、必ずしも単一の光源からなる必要はなく、２以上の光源の集合体からなる光源であってもよい。２以上の光源の集合体からなる光源としては、例えば、Ｒ（赤）Ｇ（緑）Ｂ（青）の三色の発光ダイオードの集合体からなる光源を挙げることができる。
【００４４】
また、本実施例の照明装置１は、第二種光源２２を３つ備える。ただし、第二種光源２２の個数に制限はなく、例えば、第二種光源２２を２以上備える形態であってもよい。第二種光源２２を２以上備えることで、効率よく箱型空間を明るくすることができる。
【００４５】
ここで、第一種光源２１及び第二種光源２２を２以上備える形態の場合には、第一種光源２１の列と第二種光源２２の列とが略並行であることが望ましい。
第一種光源２１の列と第二種光源２２の列とが略並行であることで、効率よく箱型空間を明るくすることができる。
【００４６】
ここで、第一種光源２１及び第二種光源２２を２以上備える形態の場合には、第一種光源２１の列と第二種光源２２の列とが略並行に設けられた基板２を用いる形態とすることもできる。基板２としては、ＰＣＢ基板を好ましく挙げることができる。
【００４７】
次に、図１〜図５を参照し、第二セード部３２について説明する。
図１〜図５に示されているとおり、第二セード部３２は、第二種光源２２から照射される光（第二種光線Ｂ）の照射範囲を定める。
【００４８】
本実施例において、第二セード部３２は、光源側に向かうにつれて漸次縮径するテーパー形状である（図１〜図５  参照）。第二セード部３２がテーパー形状であることで、第二種光源２２から照射される光の照射範囲を定めることができる。
【００４９】
本実施例においては、第二セード部３２は、第二種光源２２から照射される光（第二種光線Ｂ）の指向角（図５中  γの角度×２）が４５°となるよう配置されている。
ここで、指向角とは、最も強く光る中心軸（図５  第二種光軸Ｂ’）の明るさの１／２の明るさになる角度（図５中  γの角度）を２倍した値をいう。
【００５０】
ただし、第二セード部３２が定める二種光源から照射される光（第二種光線Ｂ）の指向角に特に制限はなく、好ましくは３０°以上、より好ましくは３５°以上、さらに好ましくは４０°以上であってもよい。
第二セード部３２が定める二種光源から照射される光（第二種光線Ｂ）の指向角を上記範囲とすることで、箱型空間を効率よく明るくすることができる。
【００５１】
また、第二セード部３２が定める二種光源から照射される光（第二種光線Ｂ）の指向角は、好ましくは７５°以下、より好ましくは６０°以下、さらに好ましくは５０°以下である。
第二セード部３２が定める二種光源から照射される光（第二種光線Ｂ）の指向角を上記範囲とすることで、箱型空間内に照明装置１を設置したときに、第二種光源２２からの光が箱型空間の壁面を必要以上に照らすことがないため、反射光を少なくすることができる。
【００５２】
ただし、第二セード部３２の形状、材質、大きさ等に特に制限はない。
【００５３】
ここで、本発明の照明装置１には、第一セード部３１及び第二セード部３２を備える照明装置用プレート３を用いることもできる。
照明装置用プレート３は、照明装置１が備える各第一種光源２１及び第二種光源２２の配置に対応するよう、第一セード部３１及び第二セード部３２の形成されたものであることが好ましい（図１〜図５  参照）。
【００５４】
次に、図１〜図５を参照し、本発明の照明装置１が照射する光の範囲について説明する。
【００５５】
図１〜図５に示されているとおり、第一セード部３１は、第一種光源２１から照射される光（第一種光線Ａ）の照射範囲を定めるよう配置されている。ここで、第一セード部３１が切欠部３１１を有することで、第一種光源２１からの光（第一種光線Ａ）は、第一セード部３１における切欠部３１１の形成されていない方向には第一セード部３１による遮蔽を受け光（第一種光線Ａ）の指向角が制限されている一方、切欠部３１１の形成されている方向では第一セード部３１による指向角の制限が少ない。
そのため、切欠部３１１の形成されている箇所は、切欠部３１１の形成されていない部分に比して、第一種光源２１からの光（第一種光線Ａ）の指向角が広角となる。
【００５６】
そして、第二セード部３２により光（第二種光線Ｂ）の照射範囲が定められた第二種光源２２も備えるため、第一種光源２１からの光（第一種光線Ａ）がより広範囲を照らしつつ、第二種光源２２からの光（第二種光線Ｂ）が第一種光源２１に比して指向角が制限された範囲を照らすという独特の照射範囲を備える照明装置１となる。
【００５７】
以下、本実施例の照明装置１のさらに好ましい形態について説明する。
【００５８】
本実施例の照明装置１は、曲面４１を有する透光性カバー部４を備える。そして、透光性カバー部４の曲面４１は、切欠部３１１側に形成されている。
このような形態である照明装置１は、第一種光源２１及び第二種光源２２から照射される光（第一種光線Ａ、第二種光線Ｂ）を遮蔽することがないため、照明装置１全体を小さく設計することができる（図１〜図５  参照）。
【００５９】
ここで、透光性カバー部４は、透光性を有するものであれば、その材質、大きさ、形状に制限はない。透光性カバー部４の材質としては、例えば、ポリカーボネートを挙げることができる。
なお、本明細書における「透光性を有する」は、光を透過することのできる性質を意味する。また、本明細書において「透光性カバー部４」には、半透明の材料を含む壁体、及び透明の材料を含む壁体、の双方の意味を含む。
【００６０】
また、本実施例の照明装置１は、放熱部６を備える。第二種光源２２が放熱部６を備えることで、照明装置１全体の発熱をより抑えることができる。
【００６１】
また、本発明は、孔部を有する取付部材５を備えた形態であることがより好ましい。
また、孔部を有する取付部材５を備えることで、トラックの荷台等といった箱型空間の上面辺部により簡便に取りつけることができる。
【００６２】
なお、本実施例において、照明装置１は異なる部品を組み合わせることにより形成されている。ただし、本発明の照明装置１は必要に応じて複数の部品が一体成型されていてもよい。
【産業上の利用可能性】
【００６３】
本発明は、箱型空間内で好適に用いられる照明装置に応用することができる。
また、本発明は、車両に取り付けられ、屋外でも用いられる照明装置に応用することができる。
【符号の説明】
【００６４】
１        照明装置
２        基板
２１      第一種光源
Ａ        第一種光線
Ａ’      第一種光軸
２２      第二種光源
Ｂ        第二種光線
Ｂ’      第二種光軸
３        照明装置用プレート
３１      第一セード部
３１１    切欠部
３２      第二セード部
４        透光性カバー部
４１      曲面
５        取付部材
６        放熱部
Ｘ        車両
【要約】      （修正有）【課題】所望の方向のみの光を広角にすることのできる照明装置を提供する。【解決手段】照明装置１において、一種光源２１と、第一種光源２１から照射される光の照射範囲を定める第一セード部３１と、第一種光源２１と同方向に光を照射する第二種光源２２と、第二種光源２２から照射される光の照射範囲を定める第二セード部３２と、を備える。第一セード部３１は、切欠部３１１を有する。切欠部３１１は、第一セード部３１における切欠部３１１の形成されていない部分の指向角に比して、第一種光源２１からの光の指向角が広角となるよう形成されている。【選択図】図２【図１】
0006713135.tif 000002
【図２】
0006713135.tif 000003
【図３】
0006713135.tif 000004
【図４】
0006713135.tif 000005
【図５】
0006713135.tif 000006
【図６】
0006713135.tif 000007
【図７】
0006713135.tif 000008